(57)【要約】【課題】住宅などの建物の壁に設置する換気装置を簡易な構造で実現することが難しい、という課題を解決すること。【解決手段】筒状の蓄熱エレメントと、筒状の形状を有し、蓄熱エレメントのうちの一方の側を内部に挿入する第１の保持部材と、筒状の形状を有し、蓄熱エレメントのうちの他方の側を内部に挿入する第２の保持部材と、を備え、第１の保持部材は、空気が流れる隙間を有するガード部を一方の端部に有するとともに、ガード部を有する側とは反対側から蓄熱エレメントを内部に挿入するよう構成され、ガード部と蓄熱エレメントの間にはファンを設置可能なよう構成され、第１の保持部材と第２の保持部材とは、第１の保持部材と第２の保持部材とで蓄熱エレメントを挟み込んだ状態で、所定の連結手段により連結されている。【選択図】図２
2019015490.tif 000002
【特許請求の範囲】
【請求項１】
筒状の蓄熱エレメントと、
筒状の形状を有し、前記蓄熱エレメントのうちの一方の側を内部に挿入する第１の保持部材と、
筒状の形状を有し、前記蓄熱エレメントのうちの他方の側を内部に挿入する第２の保持部材と、を備え、
前記第１の保持部材は、空気が流れる隙間を有するガード部を一方の端部に有し、前記ガード部を有する側とは反対側から前記蓄熱エレメントを内部に挿入するよう構成されるとともに、前記ガード部と前記蓄熱エレメントの間にファンを設置可能なよう構成され、
前記第１の保持部材と前記第２の保持部材とは、前記第１の保持部材と前記第２の保持部材とで前記蓄熱エレメントを挟み込んだ状態で、所定の連結手段により連結されている
ファンユニット。
【請求項２】
請求項１に記載のファンユニットであって、
前記第１の保持部材の内周面には、前記連結手段を係止する第１係止部が形成されており、
前記第２の保持部材の内周面には、前記連結手段を係止する第２係止部が形成されている
ファンユニット。
【請求項３】
請求項２に記載のファンユニットであって、
前記第１の保持部材の内周面に前記第１係止部を形成することで、前記第１の保持部材の内周面と前記ファンの羽根との間に隙間が形成されており、
前記第１の保持部材の内部に嵌め込むことで前記第１の保持部材の内周面と前記ファンの羽根との間の隙間を埋める筒状の隙間埋め部材を有する
ファンユニット。
【請求項４】
請求項１乃至３の何れかに記載のファンユニットであって、
前記連結手段は、複数の溝部を有するバンド部により構成されている
ファンユニット。
【請求項５】
請求項１乃至４の何れかに記載のファンユニットであって、
前記第１の保持部材のうちの前記ガード部側端部には、持ち手が形成されている
ファンユニット。
【請求項６】
請求項１乃至５の何れかに記載のファンユニットであって、
前記ファンに、当該ファンを電気的に駆動する構造を設け、当該ファンを駆動する構造は防水加工されている、
ファンユニット。
【請求項７】
請求項１乃至６の何れかに記載のファンユニットであって、
前記ファンと前記蓄熱エレメントとの間に、前記ファンによって生成される気流を整流する第２の羽根部材を設けた、
ファンユニット。
【発明の詳細な説明】
【技術分野】
【０００１】
本発明は、ファンユニットに関し、特に、建物内部の空気を換気する際に用いられるファンユニットに関する。
【背景技術】
【０００２】
住宅などの建物の壁に設置して、設置した建物内部の空気を換気する換気装置、換気システムが知られている。
【０００３】
例えば、特許文献１には、一端が吸込口として開口した風胴の他端にモーターを取付け、風胴のモーターの取付け部分の外周に吹出口を形成し、吹出口の近傍に設けられたオリフィスの上流側と下流側との圧力差を検出する圧力センサを備え、圧力センサによる差圧によって所定の風量を出力するようにした換気装置が記載されている。特許文献１によると、上記圧力センサをカバー体内に収納し、このカバー体の一部により風胴の半径方向に介在するオリフィスを一体に構成することを特徴としている。
【０００４】
また、関連する技術として、例えば、特許文献２がある。特許文献２には、外部の環境状況を特定可能な換気システムが記載されている。例えば、換気システムは、建物の内部側に配置される換気ファンと、建物の外部側に配置される蓄熱エレメントと、蓄熱エレメントよりも建物の内部側に配置され建物の外部の環境状況を検出するセンサと、を有する換気ユニットと、換気ファンの動作を制御するとともにセンサにて検出した検出値から建物の外部状況を特定する制御装置と、を備える。特許文献２によると、制御装置は、換気ファンにて建物の外部から内部に吸気しはじめてから所定時間経過した後にセンサにて検出した検出値を建物の外部の環境状況として特定する。このような構成により、建物の外部の環境状況を正確かつ低コストに計測することが出来る。
【先行技術文献】
【特許文献】
【０００５】
【特許文献１】特開平９−３１８１０９号公報
【特許文献２】特開２０１６−１４５６７３号公報
【発明の概要】
【発明が解決しようとする課題】
【０００６】
特許文献２に記載されている技術の場合、換気ユニットにファンを取り付ける際には、図示されていない細かな部品などが必要となり、換気ユニット全体の部品点数が多くなる、という問題があった。同様に、特許文献１の技術においても、非常に多くの部品を使用しているため、換気装置の部品点数が多くなっていた。このように、住宅などの建物の壁に設置する換気装置においては、構成が複雑になり部品点数が多くなる、という問題が生じていた。換言すると、住宅などの建物の壁に設置する換気装置を簡易な構造で実現することが難しい、という問題が生じていた。
【０００７】
そこで、本発明の目的は、住宅などの建物の壁に設置する換気装置を簡易な構造で実現することが難しい、という問題を解決するファンユニットを提供することにある。
【課題を解決するための手段】
【０００８】
かかる目的を達成するため本発明の一形態であるファンユニットは、
筒状の蓄熱エレメントと、
筒状の形状を有し、前記蓄熱エレメントのうちの一方の側を内部に挿入する第１の保持部材と、
筒状の形状を有し、前記蓄熱エレメントのうちの他方の側を内部に挿入する第２の保持部材と、を備え、
前記第１の保持部材は、空気が流れる隙間を有するガード部を一方の端部に有し、前記ガード部を有する側とは反対側から前記蓄熱エレメントを内部に挿入するよう構成されるとともに、前記ガード部と前記蓄熱エレメントの間にファンを設置可能なよう構成され、
前記第１の保持部材と前記第２の保持部材とは、前記第１の保持部材と前記第２の保持部材とで前記蓄熱エレメントを挟み込んだ状態で、所定の連結手段により連結されている
という構成をとる。
【０００９】
また、上記ファンユニットは、
前記第１の保持部材の内周面には、前記連結手段を係止する第１係止部が形成されており、
前記第２の保持部材の内周面には、前記連結手段を係止する第２係止部が形成されている
という構成をとる。
【００１０】
また、上記ファンユニットは、
前記第１の保持部材の内周面に前記第１係止部を形成することで、前記第１の保持部材の内周面と前記ファンの羽根との間に隙間が形成されており、
前記第１の保持部材の内部に嵌め込むことで前記第１の保持部材の内周面と前記ファンの羽根との間の隙間を埋める筒状の隙間埋め部材を有する
という構成をとる。
【００１１】
また、上記ファンユニットは、
前記連結手段は、複数の溝部を有するバンド部により構成されている
という構成をとる。
【００１２】
また、上記ファンユニットは、
前記第１の保持部材のうちの前記ガード部側端部には、持ち手が形成されている
という構成をとる。
【００１３】
また、上記ファンユニットは、
前記ファンに、当該ファンを電気的に駆動する構造を設け、当該ファンを駆動する構造は防水加工されている、
という構成をとる。
【００１４】
また、上記ファンユニットは、
前記ファンと前記蓄熱エレメントとの間に、前記ファンによって生成される気流を整流する第２の羽根部材を設けた、
という構成をとる。
【発明の効果】
【００１５】
本発明は、以上のように構成されることにより、住宅などの建物の壁に設置する換気装置を簡易な構造で実現することが難しい、という問題を解決するファンユニットを提供することが可能となる。
【図面の簡単な説明】
【００１６】
【図１】第１の実施形態にかかるファンユニットの使用状態の一例を示す断面図である。
【図２】図１で示すファンユニットの全体的な構成の一例を示す斜視図である。
【図３】図１で示すファンユニットの構成の一例を示す分解図である。
【図４】図３で示す第１筒状部の構成の一例を示す斜視図である。
【図５】図３で示す環状部材の構成の一例を示す斜視図である。
【図６】第１筒状部にファンと環状部材を設置した際の様子の一例を示す図である。
【図７】蓄熱エレメントの構成の一例を示す斜視図である。
【図８】第２筒状部の構成の一例を示す斜視図である。
【図９】環状部材を設置する際と設置しない際の風量と圧力の関係の一例を示す図である。
【図１０】本実施形態におけるファンユニットの他の構成の一例を示す斜視図である。
【発明を実施するための形態】
【００１７】
［第１の実施形態］
本発明の第１の実施形態を、図１乃至図１０を参照して説明する。図１は、ファンユニット１の使用状態の一例を示す断面図である。図２は、ファンユニット１の全体的な構成の一例を示す斜視図である。図３は、ファンユニット１の構成の一例を示す分解図である。図４は、第１筒状部１１の構成の一例を示す斜視図である。図５は、環状部材１６の構成の一例を示す斜視図である。図６は、第１筒状部１１にファン１４と環状部材１６を設置した際の様子の一例を示す図である。図７は、蓄熱エレメント１３の構成の一例を示す斜視図である。図８は、第２筒状部１２の構成の一例を示す斜視図である。図９は、環状部材１６を設置する際と設置しない際の風量と圧力の関係の一例を示す図である。図１０は、ファンユニット１の他の構成の一例を示す斜視図である。
【００１８】
第１の実施形態では、建物内部の空気を換気する際に用いる換気ユニットを構成するファンユニット１について説明する。ファンユニット１は、例えば図１で示すように、建物の内壁２１と外壁２２とに設けられた貫通孔に挿入された円筒状のパイプ部材３（スリーブ管）の内部に挿入される。そして、ファンユニット１が有する後述するファン１４が回転することで、建物の内部の空気を換気する。後述するように、換気ユニットを構成する部品のうちファン１４や蓄熱エレメント１３などをファンユニット１として構成することで、換気する機能を実現するために必要な部品数などを削減することが可能となる。また、本実施形態におけるファンユニット１によると、換気ユニットを容易に取り付けることが可能となり、また、換気ユニットを取り付ける際のコストを削減することが可能となる。
【００１９】
なお、図１では図示していないが、パイプ部材３やファンユニット１を設置する箇所のうち内壁２１側には、例えば、図示しない室内側フードや防塵フィルターなどを設けることが出来る。また、パイプ部材３やファンユニット１を設置する箇所のうち外壁２２側には、例えば、図示しない屋外側フィルターなどを設けることが出来る。このように、内壁２１側や外壁２２側には、図示しない構成を有していても構わない。
【００２０】
また、建物の壁には、上記ファンユニット１などから構成される換気ユニットを、例えば一対設けることが出来る。一対の換気ユニットは、例えば、一方が建物の外部から内部に吸気するよう動作し、他方が建物の内部から外部に排気するよう動作する。このように換気ユニットを一対設けそれぞれが連動して動作するよう構成することで、建物内部の空気を効率的に換気することが出来る。なお、建物の壁には、３以上の任意の数の換気ユニットを設けても構わない。
【００２１】
図２は、ファンユニット１の全体の構成の一例を示す斜視図である。また、図３は、ファンユニット１を構成する各構成部品の一例を示す分解図である。図２、図３を参照すると、ファンユニット１は、第１筒状部１１と、第２筒状部１２と、蓄熱エレメント１３と、ファン１４と、４本の結束バンド１５と、環状部材１６と、から構成されている。例えば、第１筒状部１１と第２筒状部１２とは、当該第１筒状部１１と当該第２筒状部１２とにより蓄熱エレメント１３を挟み込んだ状態で、４本の結束バンド１５により連結されている。また、ファン１４は、第１筒状部１１の内部であって、第１筒状部１１が有するガード部１１６と蓄熱エレメント１３との間に設置されている。また、環状部材１６は、第１筒状部１１の内部に嵌め込まれている。
【００２２】
図４は、第１筒状部１１（第１の保持部材）の構成の一例を示している。図４で示すように、第１筒状部１１は、例えば、円筒形状を有する樹脂製の部材である。図４を参照すると、第１筒状部１１は、一方の端部にガード部１１６が形成されており、他方は開口している。図２、図３で示すように、蓄熱エレメント１３は、第１筒状部１１のうちの開口している側（つまり、ガード部１１６を有する側とは反対側）から第１筒状部１１の内部に挿入されることになる。
【００２３】
第１筒状部１１の外周面には、結束バンド１５を通すための凹部である結束バンド用溝１１１が形成されている。結束バンド用溝１１１は、第１筒状部１１の外周面のうち、開口側端部からガード部１１６を有する側の方向に向かって所定長さ分形成されている。また、結束バンド用溝１１１のうちガード部１１６側の端部には、結束バンド１５が挿通するための結束バンド挿通用貫通孔１１２が形成されている。このような構成により、結束バンド１５は、結束バンド用溝１１１に沿って第１筒状部１１の外周面を通った後、結束バンド挿通用貫通孔１１２を通って第１筒状部１１の内部に挿入されることになる。なお、第１筒状部１１の外周面上には、例えば、上記結束バンド用溝１１１が４箇所形成されている。例えば、第１筒状部１１をガード部１１６から開口側に向かう方向（ファン１４が回転する軸方向）で見た際に円形状の第１筒状部を四等分する４箇所であって、後述する枠部の間に位置する箇所に、それぞれ結束バンド用溝１１１が形成されている。第１筒状部１１の外周面に形成される結束バンド用溝１１１の数は、２つなど図４で例示している以外であっても構わない。
【００２４】
第１筒状部１１の内周面のうち、結束バンド挿通用貫通孔１１２が形成されている位置に応じた位置には、結束バンド１５の第１筒状部１１側の端部を係止する結束バンド係止部１１３が形成されている。例えば、後述するように、結束バンド１５には所定の間隔で複数の溝部が形成されており、当該溝部と結束バンド係止部１１３に設けられた爪部とが係合することで、結束バンド１５が結束バンド係止部１１３に係止される。換言すると、結束バンド１５は、結束バンド用溝１１１に沿って第１筒状部１１の外周面を通った後、結束バンド挿通用貫通孔１１２を通って第１筒状部１１の内部に挿入され、第１筒状部１１の内部で結束バンド係止部１１３に係止される。なお、結束バンド１５の端部が結束バンド係止部１１３に係止可能であれば、結束バンド１５を結束バンド係止部１１３に係止するための構成は、上記例示した場合に限定されない。結束バンド１５は、例えば、熱圧着などの手段を用いて結束バンド係止部１１３に係止されても構わない。
【００２５】
また、第１筒状部１１の内周面のうち開口側の所定位置には、第１筒状部１１の内部に環状部材１６を嵌め込む際に用いる環状部材係止部１１４が形成されている。環状部材係止部１１４は、例えば、ガード部１１６側に頂点を有する形状を有しており、開口側からガード部１１６側への環状部材１６の移動を許容する一方で、ガード部１１６側で環状部材１６を係止して、ガード部１１６側から開口側へ環状部材１６を移動しないようにする。例えば、このような構成により、環状部材１６は、環状部材係止部１１４の内部に嵌め込むことが出来る。なお、環状部材係止部１１４は、例えば、第１筒状部１１の外周面に結束バンド用溝１１１が形成されることで第１筒状部１１の内周面に形成される凸部を挟み込むように形成されている。つまり、環状部材係止部１１４は、第１筒状部１１の内周面に例えば８つ形成されている（８つ以外でも構わない）。
【００２６】
また、上述したように、第１筒状部１１のうちの一方の端部には、ガード部１１６が形成されている。ガード部１１６は、例えば、ファン１４の回転軸が位置しファン１４を回転させる図示しないモーターなどを設置可能な中心部と、ファン１４の回転軸の中心と同心円状となる複数の環状部と、第１筒状部の半径方向に設けられた４本の枠部と、から構成されている。ガード部１１６は、上記構成により、指などの物体が第１筒状部１１の外部からファン１４方向に侵入することを防止する一方で、ファン１４が回転することなどにより生じる空気の流れを許容する。つまり、ガード部１１６は、空気が流れる隙間を有するよう構成されている、ということも出来る。
【００２７】
また、ガード部１１６の所定位置（例えば、上記枠部の一つと第１筒状部１１の内周面との交点付近）には、コネクタ挿通部１１５が形成されている。コネクタ挿通部１１５には、図示しないモーターなどと接続する図示しないコネクタが挿通されている。ファン１４のモーターは、コネクタ挿通部１１５に挿通するコネクタを介して、外部装置から電力や各種命令（例えば、回転停止命令や回転開始命令、回転方向を指示する命令など）を受信する。
【００２８】
図５は、環状部材１６の構成の一例を示している。図５で示すように、環状部材１６は、例えば、略環状（略筒状）に形成された樹脂製の部材である。図５を参照すると、環状部材１６は、外周面に４つの溝１６１を有している。溝１６１は、例えば、第１筒状部１１の結束バンド係止部１１３が設けられている位置に応じた位置に形成されている。また、環状部材１６には、切れ目１６２が形成されている。このように環状部材１６に切れ目１６２を形成することで、環状部材１６は、切れ目１６２を当接させたり離したりすることで、容易に環状部材１６の径を変更することが出来る。換言すると、環状部材１６は、切れ目１６２の両端部を当接させることで、環状部材１６の径を容易に小さくすることが出来る。これにより、例えば、環状部材１６をより容易に第１筒状部１１に嵌め込むことなどが出来るようになる。
【００２９】
また、環状部材１６は、例えば、結束バンド係止部１１３の高さに応じた厚みを有している。上述したように、第１筒状部１１の内周面には、結束バンド係止部１１３が設けられている。そのため、第１筒状部１１の内面のうち結束バンド係止部１１３が設けられていない箇所とファン１４の羽根との間には、結束バンド係止部１１３が設けられていることに起因する隙間が形成されることになる。本実施形態においては、図６で示すように、第１筒状部１１の内部に環状部材１６を嵌め込むことで、上記第１筒状部１１の内面とファン１４の羽根との間に形成される隙間を埋める。つまり、環状部材１６は、第１筒状部１１とファン１４の羽根との間に形成される隙間を埋める隙間埋め部材として機能する。このように、環状部材１６を用いて第１筒状部１１の内面とファン１４の羽根との間の隙間を埋めることで、後述するように、ファンユニット１のＰＱ特性（風量―静圧特性）を向上させることが出来る。
【００３０】
ファン１４は、図２で示すように、第１筒状部１１の内部のうちガード部１１６と蓄熱エレメント１３との間に設置される。例えば、第１筒状部１１の内部に環状部材１６を嵌め合せ、ファン１４を設置した後に、当該第１筒状部１１の内部に蓄熱エレメントを挿入することになる。ファン１４は、例えば、ガード部１１６の中心部に、図示しないモーターを介して設置されており、図示しないモーターが回転することにより第１筒状部１１の内部で回転する。なお、上述したように、モーターは、コネクタ挿通部１１５に挿通するコネクタを介して、外部装置から電力や各種命令を受信する。
【００３１】
図７は、蓄熱エレメント１３の構成の一例を示している。図７で示すように、蓄熱エレメント１３は、例えば、所定の長さを有する円筒状の部材であり、酸化アルミニウムなどの金属酸化物やセラミックなどから構成されている。例えば、蓄熱エレメント１３は、一端と他端とが多数の孔１３１で連通した多孔質部材にて構成されている。このような構成により、蓄熱エレメント１３の内部には、一端から他端にかけて形成された孔１３１を通過した空気の熱が蓄積されたり、一端から他端にかけて空気が通過する際に空気が蓄熱エレメント１３に蓄積された熱を吸収したりする。
【００３２】
なお、本実施形態においては、孔１３１の形状は特に限定しない。孔１３１の形状は、例えば、円形や四角形などであっても構わないし、六角形（ハニカム構造）などであっても構わない。
【００３３】
図８は、第２筒状部１２（第２の保持部材）の構成の一例を示している。図８で示すように、第２筒状部１２は、例えば、円筒形状を有する樹脂製の部材である。図８を参照すると、第２筒状部１２は、一方の端部近傍に結束バンド係止部１２３を有しており、他方は開口している。図２、図３で示すように、蓄熱エレメント１３は、結束バンド係止部１２３を有する側とは反対側から第２筒状部１２の内部に挿入されることになる。
【００３４】
第２筒状部１２の外周面には、結束バンド１５を通すための凹部である結束バンド用溝１２１が形成されている。結束バンド用溝１２１は、第２筒状部１２の外周面のうち、開口側端部から結束バンド係止部１２３を有する側の方向に向かって所定長さ分形成されている。また、結束バンド用溝１２１のうち結束バンド係止部１２３が形成されている側の端部には、結束バンド１５が挿通するための結束バンド挿通用貫通孔１２２が形成されている。このような構成により、結束バンド１５は、結束バンド用溝１２１に沿って第２筒状部１２の外周面を通った後、結束バンド挿通用貫通孔１２２を通って第２筒状部１２の内部に挿入されることになる。なお、第２筒状部１２の外周面上には、例えば、上記結束バンド用溝１２１が４箇所形成されている。例えば、結束バンド用溝１２１は、第１筒状部１１の外周面上に形成された結束バンド用溝１１１の位置に応じた位置に形成されている。第２筒状部１２の外周面に形成される結束バンド用溝１２１の数は、２つなど図８で例示している以外であっても構わない。ただし、結束バンド用溝１２１の数は、結束バンド用溝１１１の数と同じであることが望ましい。
【００３５】
第２筒状部１２の内周面のうち、結束バンド挿通用貫通孔１２２が形成されている位置に応じた位置には、結束バンド１５の第２筒状部１２側の端部を係止する結束バンド係止部１２３が形成されている。例えば、後述するように、結束バンド１５には所定の間隔で複数の溝部が形成されており、当該溝部と結束バンド係止部１２３に設けられた爪部とが係合することで、結束バンド１５が結束バンド係止部１２３に係止される。換言すると、結束バンド１５は、結束バンド用溝１２１に沿って第２筒状部１２の外周面を通った後、結束バンド挿通用貫通孔１２２を通って第２筒状部１２の内部に挿入され、第２筒状部１２の内部で結束バンド係止部１２３に係止される。なお、結束バンド１５の端部が結束バンド係止部１２３に係止可能であれば、結束バンド１５を結束バンド係止部１２３に係止するための構成は、上記例示した場合に限定されない。結束バンド１５は、例えば、熱圧着などの手段を用いて結束バンド係止部１２３に係止されても構わない。
【００３６】
結束バンド１５（連結手段）は、例えば、可撓性を有する樹脂製のバンドである。結束バンド１５は、図示しない複数の溝部を備えて構成されており、結束バンド係止部１１３や結束バンド係止部１２３などが有する爪部と係合することで、結束バンド１５中の任意の箇所で結束バンド係止部１１３、１２３に係止可能なよう構成されている。結束バンド１５は、例えば、タイラップ（登録商標）やインシュロック（登録商標）などと呼ばれるものであっても構わない。なお、結束バンド１５は、一般的に、複数の溝部が形成されたバンド部と爪部を有するロック部とを有しているが、本実施形態において説明する結束バンド１５は、少なくともバンド部に相当する構成を有していれば、ロック部に相当する構成は有していなくても構わない。
【００３７】
ファンユニット１は、例えば、上述したような、第１筒状部１１と、第２筒状部１２と、蓄熱エレメント１３と、ファン１４と、４本の結束バンド１５と、環状部材１６と、を有している。そして、例えば、ファンユニット１は、第１筒状部１１の内部に環状部材１６を嵌め込むとともに、ファン１４を設置した状態で、当該第１筒状部１１と第２筒状部１２とにより蓄熱エレメント１３を挟み込み、挟み込んだ状態の第１筒状部１１と第２筒状部１２とを結束バンド１５により連結することにより構成されている。
【００３８】
以上のように、本実施形態におけるファンユニット１は、第１筒状部１１と、第２筒状部１２と、蓄熱エレメント１３と、ファン１４と、４本の結束バンド１５と、環状部材１６と、を有している。また、第１筒状部１１は、当該第１筒状部１１の内部にファン１４を設置可能なよう構成されている。このように、本実施形態におけるファンユニット１によると、非常に少ない部品点数でファンユニットを実現することが出来る。そのため、本実施形態におけるファンユニット１によると、住宅などの建物の壁に設置するファンユニットを簡易な構造で実現することで難しい、という問題を解決することが出来る。また、本実施形態におけるファンユニット１によると、換気ユニットを容易に取り付けることが可能となり、また、換気ユニットを取り付ける際のコストを削減することが可能となる。
【００３９】
また、図９は、第１筒状部１１の内部に環状部材１６を嵌め込んだ場合の風量―静圧特性と第１筒状部１１の内部に環状部材１６を嵌め込まなかった場合の風量―静圧特性との一例について示している。具体的には、図９で示すグラフは、Ｘ軸が風量（ｍ３／ｈ）を示しており、Ｙ軸が圧力（ＩｎＨ２Ｏ）を示している。図９を参照すると、環状部材１６を第１筒状部１１の内部に嵌め込むことで、ファンユニット１により生じる風量が増していることが分かる。つまり、第１筒状部１１の内部に環状部材１６を嵌め込むことにより、より効率的に建物内部の空気を換気することが可能となることが分かる。
【００４０】
なお、本実施形態においては、ファンユニット１は、環状部材１６を有するとした。しかしながら、ファンユニット１は、環状部材１６を有していなくても構わない。換言すると、ファンユニット１は、第１筒状部１１と、第２筒状部１２と、蓄熱エレメント１３と、ファン１４と、４本の結束バンド１５と、から構成されても構わない。
【００４１】
また、本実施形態においては、第１筒状部１１と第２筒状部１２とを連結する連結手段として、結束バンド１５を例示した。しかしながら、第１筒状部１１と第２筒状部１２とは、紐などの結束バンド１５以外の連結手段により連結されても構わない。
【００４２】
また、第１筒状部１１のガード部が設けられている側の外側には、図１０で示すように、持ち手１７を設けることが出来る。持ち手１７は、例えば、結束バンド１５と同様の素材により構成されている。第１筒状部１１に持ち手１７を設けることで、より容易にファンユニット１を設置することが可能となる。
【００４３】
ここで、上述したファン１４の中心部には、当該ファン１４を電気的に駆動する構造であるモーター及び基板が装備されているが、モーター及び基板を防水加工して装備してもよい。つまり、ファン１４と共に装備されている駆動構造を防水加工することで、ファン１４自体を防水加工してもよい。防水加工の一例としては、例えば、基板は、その表面を樹脂スプレーで防水皮膜し、モーターは、内部に樹脂を埋め込むことで行う。但し、ファン１４の防水加工はいかなる方法で行ってもよい。
【００４４】
以上のようにファン１４自体を防水加工することで、上述したファンユニット１全体が防水仕様となる。このため、ファンユニット１をそのまま洗浄することができ、例えば、食洗機で水洗いすることができる。その結果、ファンユニット１の洗浄の手間を軽減でき、容易に清潔に保つことができる。なお、上述したようにモーター内部を樹脂で封止することで、金属部品の塩害も抑制することができる。
【００４５】
また、上述したファンユニット１のファン１４の構成を、２層のプロペラ構造としてもよい。具体的には、ファン１４の内部、つまり、ファン１４と蓄熱エレメント１３との間に、第２の羽根部材である固定プロペラ（図示せず）を追加で装備してもよい。この固定プロペラは、ファン１４が回転することによって生成された気流を整流する機能を有し、例えば、ファン１４によって生成された気流を外周側から中心側に導くよう形成された羽根を有する。このようにファン１４と蓄熱エレメント１３との間に固定プロペラを設けることで、ファン１４によって生成された気流が蓄熱エレメント１３の外周側といった一部のみに集中して通過しないよう、当該気流を蓄熱エレメント１３の全面に均等に導くことができる。なお、第２の羽根部材は、必ずしも固定されていることに限定されず、ファン１４による気流を整流する機能を有していれば、いかなる構造であってもよい。
【００４６】
以上、上記各実施形態を参照して本願発明を説明したが、本願発明は、上述した実施形態に限定されるものではない。本願発明の構成や詳細には、本願発明の範囲内で当業者が理解しうる様々な変更をすることが出来る。
【符号の説明】
【００４７】
１  ファンユニット
１１  第１筒状部
１１１  結束バンド用溝
１１２  結束バンド挿通用貫通孔
１１３  結束バンド係止部
１１４  環状部材係止部
１１５  コネクタ挿通部
１１６  ガード部
１２  第２筒状部
１２１  結束バンド用溝
１２２  結束バンド挿通用貫通孔
１２３  結束バンド係止部
１３  蓄熱エレメント
１３１  孔
１４  ファン
１５  結束バンド
１６  環状部材
１６１  溝
１６２  切れ目
１７  持ち手
２１  内壁
２２  外壁
３  パイプ部材
【図１】
2019015490.tif 000003
【図２】
2019015490.tif 000004
【図３】
2019015490.tif 000005
【図４】
2019015490.tif 000006
【図５】
2019015490.tif 000007
【図６】
2019015490.tif 000008
【図７】
2019015490.tif 000009
【図８】
2019015490.tif 000010
【図９】
2019015490.tif 000011
【図１０】
2019015490.tif 000012